Podtech/llm-jp-corpus-v4-ja_patent huggingface dataset:
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技を行う遊技機において、
所定時間を計測するためのタイマ値を更新するとともに、該所定時間を計測するためのタイマ値が規定値となるまでの期間にわたり電子部品のオン制御とオフ制御とを繰り返す制御を行うことが可能な制御手段を備え、
前記制御手段は、前記所定時間を計測するためのタイマ値を１以上の整数である特定値で除算して整数の商を算出し、算出した商が奇数であるか偶数であるかに応じてオン制御とオフ制御とを切り替え、
タイマ値の初期値は、タイマ値に当該初期値が設定されているときにオフ制御が行われるように設定される、遊技機。
【請求項２】
遊技を行う遊技機において、
所定時間を計測するためのタイマ値を更新するとともに、該所定時間を計測するためのタイマ値が規定値となるまでの期間にわたり電子部品のオン制御とオフ制御とを繰り返す制御を行うことが可能な制御手段を備え、
前記制御手段は、前記所定時間を計測するためのタイマ値を１以上の整数である特定値で除算して整数の商を算出し、算出した商が奇数であるか偶数であるかに応じてオン制御とオフ制御とを切り替え、
タイマ値の初期値は、タイマ値に当該初期値が設定されているときにオン制御が行われるように設定される、遊技機。
【手続補正２】
【補正対象書類名】明細書
【補正対象項目名】０００６
【補正方法】変更
【補正の内容】
【０００６】
（Ａ）  遊技を行う遊技機において、
所定時間を計測するためのタイマ値を更新するとともに、該所定時間を計測するためのタイマ値が規定値となるまでの期間にわたり電子部品のオン制御とオフ制御とを繰り返す制御を行うことが可能な制御手段を備え、
前記制御手段は、前記所定時間を計測するためのタイマ値を１以上の整数である特定値で除算して整数の商を算出し、算出した商が奇数であるか偶数であるかに応じてオン制御とオフ制御とを切り替え、
タイマ値の初期値は、タイマ値に当該初期値が設定されているときにオフ制御が行われるように設定される。
（Ｂ）  遊技を行う遊技機において、
所定時間を計測するためのタイマ値を更新するとともに、該所定時間を計測するためのタイマ値が規定値となるまでの期間にわたり電子部品のオン制御とオフ制御とを繰り返す制御を行うことが可能な制御手段を備え、
前記制御手段は、前記所定時間を計測するためのタイマ値を１以上の整数である特定値で除算して整数の商を算出し、算出した商が奇数であるか偶数であるかに応じてオン制御とオフ制御とを切り替え、
タイマ値の初期値は、タイマ値に当該初期値が設定されているときにオン制御が行われるように設定される。
上記課題を解決するために、本発明の手段１の遊技機は、
遊技を行う遊技機（スロットマシン１）において、
所定時間にわたり電子部品（クレジット表示器１１、遊技補助表示器１２）のオン制御とオフ制御とを繰り返す制御（点滅制御）を行うことが可能な制御手段（メインＣＰＵ４１ａ）を備え、
前記制御手段（メインＣＰＵ４１ａ）は、所定時間を計測するためのタイマ値（表示モニタ選択用タイマ値）を更新するとともに、該タイマ値と特定値（５３６）を用いて演算し、演算の結果（商の値）に応じてオン制御とオフ制御とを切り替える
ことを特徴としている。
この特徴によれば、所定時間を計測するためのタイマ値と特定値を用いて演算し、演算
の結果に応じてオン制御とオフ制御とを切り替えるので、切り替えのためのデータを別個
に必要としないため、オン制御とオフ制御とを繰り返す制御を行うためのデータ容量を削
減することができる。
【手続補正書】
【提出日】令和1年12月20日(2019.12.20)
【手続補正１】
【補正対象書類名】明細書
【補正対象項目名】０００７
【補正方法】変更
【補正の内容】
【０００７】
本発明に係る遊技機は、遊技者によって操作可能な操作手段と、遊技者に有利な特別遊技を実行するか否かを判定する特別遊技判定手段と、前記特別遊技を実行すると前記特別遊技判定手段によって判定された場合に、当該特別遊技を実行する特別遊技実行手段と、前記特別遊技判定手段による判定の結果に基づいて、演出を制御する演出制御手段とを備え、前記演出制御手段は、前記操作手段に対する操作を遊技者に促す操作指示画像を所定の表示期間にて表示し、前記所定の表示期間よりも短い有効期間を設定可能であり、前記有効期間に応じた有効期間画像を表示し、前記有効期間中の前記操作手段に対する操作があったことに応じて前記操作指示画像の消去後に所定演出を実行可能であり、前記操作指示画像と前記有効期間画像との表示が同時に消去される。
【手続補正２】
【補正対象書類名】特許請求の範囲
【補正対象項目名】全文
【補正方法】変更
【補正の内容】
【特許請求の範囲】
【請求項１】
遊技者によって操作可能な操作手段と、
遊技者に有利な特別遊技を実行するか否かを判定する特別遊技判定手段と、
前記特別遊技を実行すると前記特別遊技判定手段によって判定された場合に、当該特別遊技を実行する特別遊技実行手段と、
前記特別遊技判定手段の判定結果に基づいて、演出を制御する演出制御手段とを備え、
前記演出制御手段は、
前記操作手段に対する操作を遊技者に促す操作指示画像を所定の表示期間にて表示し、
前記所定の表示期間よりも短い有効期間を設定可能であり、
前記有効期間に応じた有効期間画像を表示し、
前記有効期間中の前記操作手段に対する操作があったことに応じて前記操作指示画像の消去後に所定演出を実行可能であり、
前記操作指示画像と前記有効期間画像との表示が同時に消去される、遊技機。
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
所定の演出情報を表示可能な演出表示手段と、
前記抽選の結果に基づいて前記演出表示手段を表示制御して変動演出を実行する表示制御手段と、
前記演出表示手段に表示される前記変動演出に関連して音出力手段から所定の演出音を出力させる制御を行う音出力制御手段と、
操作手段の操作に基づいて前記音出力手段から出力される演出音の音量を調節可能な音量調節手段と、を備え、
前記表示制御手段は、前記所定の演出情報として特定の演出情報を前記変動演出中の特定期間に亘って表示させることが可能であり、
前記特定期間では前記演出音の音量が抑制され、該特定期間において、前記音量調節手段は、前記演出音の音量が抑制されている中で前記操作手段の操作を受け付けて前記演出音の音量を調節可能とするものの該調節された音量の前記演出音を前記特定期間の経過後に聴取可能とし、
前記特定期間と異なり前記変動演出中の前記演出音の音量が抑制されない非特定期間において、前記音量調節手段は、前記演出音の音量が抑制されていない中で前記操作手段の操作を受け付けて前記演出音の音量を調節可能とするとともに該調節された音量の前記演出音を当該調節タイミングで聴取可能とし、
前記特定期間では、前記演出表示手段に表示される演出情報の数が前記特定期間とされる前のときに比べて抑制される
ことを特徴とする遊技機。
【手続補正２】
【補正対象書類名】明細書
【補正対象項目名】０００２
【補正方法】変更
【補正の内容】
【０００２】
従来、始動入賞に基づいて画像を表示可能な表示器に複数の図柄を変動表示させ、図柄の停止結果が所定の態様となった場合に所定の遊技価値を付与する遊技機が知られている。このような遊技機において、近年では演出音の音量を遊技者が調節できるようになっている（例えば、特許文献１参照）。
【手続補正３】
【補正対象書類名】明細書
【補正対象項目名】０００３
【補正方法】変更
【補正の内容】
【０００３】
【特許文献１】特開２０１２−２１７７４０号公報
【手続補正４】
【補正対象書類名】明細書
【補正対象項目名】０００４
【補正方法】変更
【補正の内容】
【０００４】
しかしながら、近年の遊技機では遊技中に音量調節可能であっても遊技者がその音量調節タイミングを逸しやすく、遊技者の好みの遊技を実現できず遊技興趣の低下を招くおそれがあった。
【手続補正５】
【補正対象書類名】明細書
【補正対象項目名】０００６
【補正方法】変更
【補正の内容】
【０００６】
上記した目的を達成するために、請求項１に係る発明においては、所定の始動条件の成立に基づいて抽選を行い、該抽選の結果が当りである場合に、通常遊技状態よりも遊技者に有利な特定遊技状態に制御可能な遊技機であって、
所定の演出情報を表示可能な演出表示手段と、
前記抽選の結果に基づいて前記演出表示手段を表示制御して変動演出を実行する表示制御手段と、
前記演出表示手段に表示される前記変動演出に関連して音出力手段から所定の演出音を出力させる制御を行う音出力制御手段と、
操作手段の操作に基づいて前記音出力手段から出力される演出音の音量を調節可能な音量調節手段と、を備え、
前記表示制御手段は、前記所定の演出情報として特定の演出情報を前記変動演出中の特定期間に亘って表示させることが可能であり、
前記特定期間では前記演出音の音量が抑制され、該特定期間において、前記音量調節手段は、前記演出音の音量が抑制されている中で前記操作手段の操作を受け付けて前記演出音の音量を調節可能とするものの該調節された音量の前記演出音を前記特定期間の経過後に聴取可能とし、
前記特定期間と異なり前記変動演出中の前記演出音の音量が抑制されない非特定期間において、前記音量調節手段は、前記演出音の音量が抑制されていない中で前記操作手段の操作を受け付けて前記演出音の音量を調節可能とするとともに該調節された音量の前記演出音を当該調節タイミングで聴取可能とし、
前記特定期間では、前記演出表示手段に表示される演出情報の数が前記特定期間とされる前のときに比べて抑制される
ことを特徴とする。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記選択当選種別の当選時に前記正解操作態様を報知する補助演出を実行する補助演出報知手段と、
有利状態を含む複数種類の演出状態のいずれかへの移行を決定する演出状態制御手段と、
を備え、
前記補助演出報知手段は、第１の有利状態において、前記選択当選種別の当選に応じ前記補助演出を実行することがあり、
前記補助演出を契機に、第２の有利状態へ移行するか否かを報知する特定演出が行われる遊技機。
【請求項２】
前記第１の有利状態への移行決定時または移行後の第１の有利状態において、前記第２の有利状態への移行が決定された場合、前記第２の有利状態へ移行する旨の演出が行われ、
前記第１の有利状態への移行決定時または移行後の第１の有利状態において、前記第２の有利状態への移行が決定されなかった場合、前記特定演出を経て前記第１の有利状態が終了する請求項１に記載の遊技機。
【請求項３】
前記演出状態制御手段は、前記選択当選種別の当選に応じて前記第２の有利状態へ移行するか否かを決定する請求項１または２に記載の遊技機。
【請求項４】
前記演出状態制御手段は、特定の当選種別の当選に応じて前記第２の有利状態への移行を決定する請求項１または２に記載の遊技機。
【請求項５】
前記選択当選種別以外の当選種別の当選時に、任意の操作態様が報知され、前記任意の操作態様の報知を契機に、前記任意の操作態様が報知される遊技以降に、前記特定演出が行われる請求項１から４のいずれか１項に記載の遊技機。
【請求項６】
前記選択当選種別以外の当選種別は、前記選択当選役と等しい当選役を有効ライン上に必ず表示することができる当選種別である請求項５に記載の遊技機。
【請求項７】
前記任意の操作態様を報知するまでに前記第２の有利状態への移行が決定されている場合、前記任意の操作態様の報知を契機に、前記任意の操作が報知される遊技以降に、前記第２の有利状態へ移行する旨の演出が行われる請求項５または６に記載の遊技機。
【手続補正２】
【補正対象書類名】明細書
【補正対象項目名】００１０
【補正方法】変更
【補正の内容】
【００１０】
上記課題を解決するために、本発明の遊技機は、スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記選択当選種別の当選時に前記正解操作態様を報知する補助演出を実行する補助演出報知手段と、有利状態を含む複数種類の演出状態のいずれかへの移行を決定する演出状態制御手段と、を備え、前記補助演出報知手段は、第１の有利状態において、前記選択当選種別の当選に応じ前記補助演出を実行することがあり、前記補助演出を契機に、第２の有利状態へ移行するか否かを報知する特定演出が行われる。
【手続補正３】
【補正対象書類名】明細書
【補正対象項目名】００１１
【補正方法】変更
【補正の内容】
【００１１】
前記第１の有利状態への移行決定時または移行後の第１の有利状態において、前記第２の有利状態への移行が決定された場合、前記第２の有利状態へ移行する旨の演出が行われ、前記第１の有利状態への移行決定時または移行後の第１の有利状態において、前記第２の有利状態への移行が決定されなかった場合、前記特定演出を経て前記第１の有利状態が終了するとしてもよい。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
アンカー部と、このアンカー部と一体のハンドル部と、前記アンカー部を歯内に固定するための接着剤と、から成る抜歯用具。
【請求項２】
前記接着剤がＵＶレジンである請求項１に記載の抜歯用具。
【請求項３】
前記ハンドル部に滑り止め部を備えている請求項１に記載の抜歯用具。
【請求項４】
前記ハンドル部に掛止部を備えている請求項１に記載の抜歯用具。
【請求項５】
歯内に固定するためのアンカー部とこのアンカー部を引くためのハンドル部とから成る抜歯用具を用意しておいて、歯を前記アンカー部の径よりも大きく切削して窩洞部を形成し、この窩洞部に前記アンカーを納めて接着剤で固定して、前記ハンドル部を以て抜歯を行う、抜歯方法。
【請求項６】
前記接着剤による固定が、接着剤にＵＶレジンを用い、これに紫外線を照射して硬化させるようにする、請求項５に記載の抜歯方法。
【請求項７】
前記接着剤に瞬間接着剤を用いる、請求項５に記載の抜歯方法。
【請求項８】
前記ハンドル部に滑り止め部を備えた抜歯用具を用い、前記ハンドル部を指で摘まむようにして抜歯を行う、請求項５に記載の抜歯方法。
【請求項９】
前記ハンドル部に掛止部を備えた抜歯用具を用い、前記掛止部を引き抜き工具に掛止させるようにして抜歯を行う、請求項５に記載の抜歯方法。
【手続補正２】
【補正対象書類名】明細書
【補正対象項目名】０００５
【補正方法】変更
【補正の内容】
【０００５】
【特許文献１】特開２００２−２９１７５３号（図１）
【特許文献２】特開２００９−１１９０９５号（図１５）
【特許文献３】実用新案登録第３１６２１６９号
【手続補正３】
【補正対象書類名】明細書
【補正対象項目名】０００８
【補正方法】変更
【補正の内容】
【０００８】  そこで本発明では、歯内に固定するためのアンカー部と、ハンドル部と、前記アンカー部を歯内に固定するための接着剤と、から成る抜歯用具を提供する。また歯内に固定するためのアンカー部とハンドル部とから成る抜歯用具を用意しておき、歯を前記アンカー部の径よりも適宜大きな径で切削して窩洞部（窪み）を形成し、この窩洞部に前記アンカーを納めて接着剤で固定して、前記ハンドル部を以て抜歯を行う抜歯方法を提供する。この発明で特徴的なのは、抜歯を行う時点ではなくて、抜歯用具を歯に固定する時点である。
【手続補正書】
【提出日】令和2年6月12日(2020.6.12)
【手続補正１】
【補正対象書類名】特許請求の範囲
【補正対象項目名】請求項１
【補正方法】変更
【補正の内容】
【請求項１】
器具の軸線に沿って延びる第１回転軸まわりに前記器具を回転可能に支持する第１ジンバル部と、
前記第１回転軸に対して交差する方向に延びる第２回転軸まわりに前記器具を回動させる第２ジンバル部と、
前記第１回転軸および前記第２回転軸を含む平面に対して交差して延びる第３回転軸まわりに前記器具を回動させる先端部と、
が設けられ、
前記第３回転軸は、水平方向を０度とし垂直方向の上方を９０度とした際に、０度よりも大きく９０度よりも小さな一定の傾き角度を有することを特徴とするアーム装置。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
コンピューターに、
プレイヤー及びその対戦相手がそれぞれ対戦に用いるキャラクターが配置されると共に、キャラクターの行動内容が対応付けられた複数のアイテムが配置される対戦画面を生成する画像生成処理と、
タッチパネルを介してプレイヤーが対戦画面上で行うタッチ操作を受け付けるプレイヤー操作受付処理と、
前記プレイヤーが対戦画面上で前記対戦相手が選択しなかったアイテムの位置を指示してから、引き続き自己のキャラクターの位置を指定するドラッグ操作を行うことによって、指定された前記アイテムに対応付けられた行動内容を、指定された前記自己のキャラクターの行動内容として決定する行動内容決定処理と、
前記プレイヤーが前記対戦相手と対戦する際に、決定された前記行動内容に基づいて、前記自己のキャラクターに行動させる行動内容実行処理と、
を実行させることを特徴とするゲームプログラム。
【請求項２】
請求項１に記載のゲームプログラムであって、
前記行動内容決定処理では、前記対戦画面上で前記プレイヤーが指定しなかったアイテムに対応付けられた行動内容を、前記対戦相手が対戦に用いるキャラクターの行動内容として決定し、
前記行動内容実行処理では、前記対戦相手が前記プレイヤーと対戦する際に、決定された前記行動内容に基づいて、前記対戦相手が対戦に用いるキャラクターに行動させる、
ことを特徴とするゲームプログラム。
【請求項３】
請求項１又は２に記載のゲームプログラムであって、
前記画像生成処理では、前記プレイヤーがドラック操作を行って前記自己のキャラクターの行動内容が決定された際に、決定された前記行動内容が対応付けられた前記アイテムを前記対戦画面から消去する、
ことを特徴とするゲームプログラム。
【請求項４】
請求項１又は２に記載のゲームプログラムであって、
前記画像生成処理では、前記プレイヤーが対戦に用いるキャラクターが配置されたプレイヤー側領域と、前記対戦相手が対戦に用いるキャラクターが配置された対戦相手側領域を区分して表示する前記対戦画面を生成する、
ことを特徴とするゲームプログラム。
【請求項５】
請求項４に記載のゲームプログラムであって、
前記画像生成処理では、前記プレイヤー側領域と前記対戦相手側領域に挟まれた中央領域に、前記複数のアイテムを表示する前記対戦画面を生成する、
ことを特徴とするゲームプログラム。
【請求項６】
請求項４又は５に記載のゲームプログラムであって、
前記画像生成処理では、前記プレイヤー側領域に配置される前記プレイヤーが対戦に用いるキャラクターの個数、及び、前記対戦相手側領域に配置される前記対戦相手が対戦に用いるキャラクターの個数の少なくとも一方に応じて、前記複数のアイテムの個数を変更して表示する前記対戦画面を生成する、
ことを特徴とするゲームプログラム。
【請求項７】
プレイヤー及びその対戦相手がそれぞれ対戦に用いるキャラクターが配置されると共に、キャラクターの行動内容が対応付けられた複数のアイテムが配置される対戦画面を生成する画像生成処理部と、
タッチパネルを介してプレイヤーが対戦画面上で行うタッチ操作を受け付けるプレイヤー操作受付処理部と、
前記プレイヤーが対戦画面上で前記対戦相手が選択しなかったアイテムの位置を指示してから、引き続き自己のキャラクターの位置を指定するドラッグ操作を行うことによって、指定された前記アイテムに対応付けられた行動内容を、指定された前記自己のキャラクターの行動内容として決定する行動内容決定処理部と、
前記プレイヤーが前記対戦相手と対戦する際に、決定された前記行動内容に基づいて、前記自己のキャラクターに行動させる行動内容実行処理部と、
を備えたことを特徴とする情報処理装置。
【請求項８】
コンピューターが、
プレイヤー及びその対戦相手がそれぞれ対戦に用いるキャラクターが配置されると共に、キャラクターの行動内容が対応付けられた複数のアイテムが配置される対戦画面を生成する画像生成処理と、
タッチパネルを介してプレイヤーが対戦画面上で行うタッチ操作を受け付けるプレイヤー操作受付処理と、
前記プレイヤーが対戦画面上で前記対戦相手が選択しなかったアイテムの位置を指示してから、引き続き自己のキャラクターの位置を指定するドラッグ操作を行うことによって、指定された前記アイテムに対応付けられた行動内容を、指定された前記自己のキャラクターの行動内容として決定する行動内容決定処理と、
前記プレイヤーが前記対戦相手と対戦する際に、決定された前記行動内容に基づいて、前記自己のキャラクターに行動させる行動内容実行処理と、
を実行することを特徴とする情報処理方法。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
玩具と、
衣類に取付けられる衣類取付部及び前記玩具を着脱可能に保持する玩具保持部を有する玩具用ホルダと、
を備え
前記衣類取付部は、
第１壁と、
前記第１壁との間に前記衣類が挿入される隙間をあけて配置された第２壁と、
固定操作部と、
を含み、
前記衣類取付部は、前記固定操作部の操作により、前記第１壁と前記第２壁との間に挿入された前記衣類に取り付けられ、
前記玩具は、前記玩具保持部に、前記第１壁を挟んで前記第２壁とは反対側に保持され、
前記固定操作部は、前記玩具保持部に前記玩具が保持されているとき前記第１壁と前記玩具保持部に保持されている玩具との間に位置するホルダ付玩具。
【請求項２】
請求項１に記載のホルダ付玩具であって、
前記玩具は前記玩具保持部に対して前記挿入方向に沿って着脱されるホルダ付玩具。
【手続補正２】
【補正対象書類名】明細書
【補正対象項目名】発明の名称
【補正方法】変更
【補正の内容】
【発明の名称】ホルダ付玩具
【手続補正３】
【補正対象書類名】明細書
【補正対象項目名】００１２
【補正方法】変更
【補正の内容】
【００１２】
また、本発明に係るホルダ付玩具は、玩具と、衣類に取付けられる衣類取付部及び前記玩具を着脱可能に保持する玩具保持部を有するホルダと、を備え前記衣類取付部は、第１壁と、前記第１壁との間に前記衣類が挿入される隙間をあけて配置された第２壁と、前記第１壁に揺動可能に軸支されており、揺動に応じて、前記隙間への前記衣類の挿入方向及び前記第１壁と前記第２壁との対向方向に前記隙間の内側で移動される突起を有する固定操作部と、を含み、前記固定操作部は、前記突起と前記第２壁との間で前記衣類を挟持する第１固定位置と、前記突起が前記第１固定位置よりも前記隙間の挿入開口側に配置される第２固定位置とに揺動可能であり、前記第２固定位置における前記突起の先端部と前記第２壁との対向間隔は、前記第１固定位置における前記突起の先端部と前記第２壁との対向間隔より小さくなされ、前記玩具は、前記玩具保持部に、前記第１壁を挟んで前記第２壁とは反対側に保持され、前記固定操作部は、揺動操作をする操作ツマミが、前記第１壁と前記玩具本体との間で揺動位置規制されることを特徴とする。また、本発明に係るホルダ付玩具は、玩具と、衣類に取付けられる衣類取付部及び前記玩具を着脱可能に保持する玩具保持部を有する玩具用ホルダと、を備え、前記衣類取付部は、第１壁と、前記第１壁との間に前記衣類が挿入される隙間をあけて配置された第２壁と、固定操作部と、を含み、前記衣類取付部は、前記固定操作部の操作により、前記第１壁と前記第２壁との間に挿入された前記衣類に取り付けられ、前記玩具は、前記玩具保持部に、前記第１壁を挟んで前記第２壁とは反対側に保持され、前記固定操作部は、前記玩具保持部に前記玩具が保持されているとき前記第１壁と前記玩具保持部に保持されている玩具との間に位置することを特徴とする。また、本発明に係るホルダ付玩具は、前記玩具は前記玩具保持部に対して前記挿入方向に沿って着脱されるようにしてもよい。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
表示部を備えるヘッドマウントデバイスを介してユーザに仮想空間を提供するためにコンピュータによって実行される情報処理方法であって、
前記ユーザに関連付けられた操作オブジェクトと、所定のモーション情報に基づいて動作し且つ端部に設けられたジョイントによって分けられた複数の部位を有する標的オブジェクトとを含む前記仮想空間を規定する仮想空間データを生成するステップと、
前記操作オブジェクトと前記標的オブジェクトとの衝突が検出された場合に、該衝突に基づく前記標的オブジェクトの衝突部位のフィードバック動作を少なくとも示すフィードバック情報を生成するステップと、
前記モーション情報および前記フィードバック情報を用いて、少なくとも前記衝突部位の動作を更新するステップと、
前記仮想空間データと、更新された前記少なくとも衝突部位の動作とに基づいて視界画像を生成し、前記表示部に該視界画像を表示させるステップと
を含み、
前記フィードバック情報を生成するステップは、
前記操作オブジェクトの運動を示すヒットベクトルを算出するステップと、
前記複数の部位から前記衝突部位を除いた部位のうち、少なくとも一つの部位が有するジョイントから前記衝突部位に向かうジョイントベクトルを算出するステップと、
前記ヒットベクトルと前記ジョイントベクトルに基づいて、前記少なくとも一つの部位の運動を補正するステップを含む情報処理方法。
【請求項２】
前記衝突部位から離れた部位ほど前記ヒットベクトルを減衰させるステップ
を含む請求項１に記載の情報処理方法。
【請求項３】
前記ヒットベクトルの向きに基づいて各ジョイントベクトルの向きを補正するステップ
を含む請求項２に記載の情報処理方法。
【請求項４】
各部位の前記フィードバック動作が、該部位に生じさせる振動を含む、
請求項１から３のいずれか一項に記載の情報処理方法。
【請求項５】
請求項１から４のいずれか一項に記載の情報処理方法をコンピュータに実行させるプログラム。
【請求項６】
少なくともメモリと、前記メモリに結合されたプロセッサとを備え、前記プロセッサの制御により請求項１から５のいずれか一項に記載の情報処理方法を実行する、装置。
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
測定されたバイタルサインの値であるバイタル情報に基づいて、個体の健康状態を判定するためのソフトウェアであって、
情報処理機器を、
同一個体から測定された正規分布に従うバイタル情報及び測定日時の情報の入力を受け付ける情報入力手段と、
入力された前記バイタル情報及び測定日時の情報を記録させる情報記録手段と、
記録された複数の前記バイタル情報の全部又は一部の、平均μ及び標準偏差σから選択される少なくとも１つを算出する基準算出手段と、
前記平均μ及び前記標準偏差σから選択される少なくとも１つに基づいて設定された所定の数値範囲を基準にして、入力された所定のバイタル情報が異常な値か否かを判定する判定手段と、
同一個体に対する少なくとも１つ以上の健康状態に関する問診結果を、項目ごとに正常又は異常と判定した第１の健康問診情報を、問診した日の日付の情報と共に記録する健康問診情報記録手段と、
を含む手段として機能させるためのソフトウェアであり、
前記基準算出手段は、前記情報記録手段に記録された複数の前記バイタル情報のうち、前記健康問診情報記録手段に記録された前記第１の健康問診情報に基づき、同第１の健康問診情報の内容に少なくとも１つの異常が記録された日に測定したバイタル情報を除き、前記平均μ及び前記標準偏差σを算出し、
前記所定の数値範囲は、少なくとも前記平均μをピーク値とした正規分布に基づき設定され、
少なくとも３０日分の前記バイタル情報には、個体に固有の個体内変動が反映され、
前記正規分布は、前記第１の健康問診情報の内容に少なくとも１つの異常が記録された日に測定したバイタル情報を除き、かつ、少なくとも３０日分のバイタル情報から作成される
ソフトウェア。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
可撓性を有するフィルムで構成される収容部と、該収容部に収容され、樹脂粒子と顔料とグリコールエーテルと水とを含むインク組成物と、を備え、
前記樹脂粒子が、下記関係式（１）で表される条件を満たす、
収容体。
１．０≦（φ２／φ１）≦１２．５・・・（１）
（式中、φ１は、２０質量％の前記樹脂粒子と８０質量％の水とを含む溶液における前記樹脂粒子のＤ５０の体積平均粒子径を示し、φ２は、９０質量％の前記樹脂粒子と１０質量％の水とを含む溶液における前記樹脂粒子のＤ５０の体積平均粒子径を示す。）
【請求項２】
前記樹脂粒子が、下記関係式（２）で表される条件を満たす、
請求項１に記載の収容体。
１．０≦（φ４／φ３）≦２０・・・（２）
（式中、φ３は、２０質量％の前記樹脂粒子と５質量％のトリエチレングリコールモノブチルエーテルと７５質量％の水とを含む溶液における前記樹脂粒子のＤ５０の体積平均粒子径を示し、φ４は、９０質量％の前記樹脂粒子と５質量％のトリエチレングリコールモノブチルエーテルと５質量％の水とを含む溶液における前記樹脂粒子のＤ５０の体積平均粒子径を示す。）
【請求項３】
前記顔料が、下記関係式（３）で表される条件を満たす自己分散型顔料である、
請求項１又は２に記載の収容体。
１．０≦（φ６／φ５）≦１０・・・（３）
（式中、φ５は、２０質量％の前記自己分散型顔料と８０質量％の水とを含む溶液における前記自己分散型顔料のＤ５０の体積平均粒子径を示し、φ６は、９０質量％の前記自己分散型顔料と１０質量％の水とを含む溶液における前記自己分散型顔料のＤ５０の体積平均粒子径を示す。）
【請求項４】
前記樹脂粒子のガラス転移温度が、−５０℃以上０℃以下である、
請求項１〜３のいずれか一項に記載の収容体。
【請求項５】
前記樹脂粒子は、（メタ）アクリル系樹脂、ウレタン系樹脂、エポキシ系樹脂、ポリオレフィン系樹脂、及びスチレンアクリル系樹脂からなる群より選択される１種又は２種以上を含有する、
請求項１〜４のいずれか一項に記載の収容体。
【請求項６】
前記樹脂粒子の含有量が、前記インク組成物の総量に対して、０．５質量％以上５．０質量％以下である、
請求項１〜５のいずれか一項に記載の収容体。
【請求項７】
前記顔料は、オゾン酸化処理されたカーボンブラック顔料である、
請求項１〜６のいずれか一項に記載の収容体。
【請求項８】
２０質量％の前記樹脂粒子と８０質量％の水とを含む溶液における樹脂粒子のゼータ電位が、−６０ｍＶ以上−１５ｍＶ以下である、
請求項１〜７のいずれか一項に記載の収容体。
【請求項９】
前記フィルムは、２以上の層を有し、
前記２以上の層は、少なくともナイロンを含む層を含む、
請求項１〜８のいずれか一項に記載の収容体。
【手続補正２】
【補正対象書類名】明細書
【補正対象項目名】発明の名称
【補正方法】変更
【補正の内容】
【発明の名称】収容体
【手続補正書】
【提出日】令和2年2月10日(2020.2.10)
【手続補正１】
【補正対象書類名】特許請求の範囲
【補正対象項目名】請求項１
【補正方法】変更
【補正の内容】
【請求項１】
構造体に壁材を取り付けるための取付具であって、
前記構造体に固定可能な基部を含む固定部材と、
前記固定部材に移動可能に支持されるようになっている可動本体を含む可動部材と、を備え、
前記固定部材は、前記可動本体を第１方向に移動可能に案内するための案内部と、
前記可動本体を前記案内部に向けて押圧可能な押え部と、を有し、
前記可動部材は、前記可動本体から前記第１方向と交差する第２方向に突出する突出片と、
前記突出片から前記第１方向に突出し、前記壁材の端部を係止可能な係止片と、を有し、
前記突出片には、前記第１方向の力を受けることが可能な第１工具係合部が設けられ、
前記係止片には、前記第１工具係合部よりも前記第１方向にずれた位置で、前記第１方向の力を受けることが可能な第２工具係合部が設けられている壁材の取付具。
【手続補正２】
【補正対象書類名】特許請求の範囲
【補正対象項目名】請求項１１
【補正方法】変更
【補正の内容】
【請求項１１】
建物の構造体に対し、取付具を用いて壁材を取り付けた壁構造であって、前記取付具は、前記構造体に固定可能な基部を含む固定部材と、前記固定部材に移動可能に支持されるようになっている可動本体を含む可動部材と、を備え、前記固定部材は、前記可動本体を第１方向に移動可能に案内するための案内部と、前記可動本体を前記案内部に向けて押圧可能な押え部と、を有し、前記可動部材は、前記可動本体から前記第１方向と交差する第２方向に突出する突出片と、前記突出片から前記第１方向に突出し、前記壁材の端部を係止可能な係止片と、を有し、前記突出片には、前記第１方向の力を受けることが可能な第１工具係合部が設けられ、前記係止片には、前記第１工具係合部よりも前記第１方向にずれた位置で、前記第１方向の力を受けることが可能な第２工具係合部が設けられている壁構造。 
【手続補正３】
【補正対象書類名】明細書
【補正対象項目名】００１２
【補正方法】変更
【補正の内容】
【００１２】
本発明の第１の態様の壁材の取付具は、構造体に壁材を取り付けるための取付具であって、
前記構造体に固定可能な基部を含む固定部材と、
前記固定部材に移動可能に支持されるようになっている可動本体を含む可動部材と、を備え、
前記固定部材は、前記可動本体を第１方向に移動可能に案内するための案内部と、
前記可動本体を前記案内部に向けて押圧可能な押え部と、を有し、
前記可動部材は、前記可動本体から前記第１方向と交差する第２方向に突出する突出片と、
前記突出片から前記第１方向に突出し、前記壁材の端部を係止可能な係止片と、を有し、
前記突出片には、前記第１方向の力を受けることが可能な第１工具係合部が設けられ、
前記係止片には、前記第１工具係合部よりも前記第１方向にずれた位置で、前記第１方向の力を受けることが可能な第２工具係合部が設けられている。
【手続補正４】
【補正対象書類名】明細書
【補正対象項目名】００３５
【補正方法】変更
【補正の内容】
【００３５】
本発明の第１１の態様の壁構造は、建物の構造体に対し、取付具を用いて壁材を取り付けた壁構造であって、前記取付具は、前記構造体に固定可能な基部を含む固定部材と、前記固定部材に移動可能に支持されるようになっている可動本体を含む可動部材と、を備え、前記固定部材は、前記可動本体を第１方向に移動可能に案内するための案内部と、前記可動本体を前記案内部に向けて押圧可能な押え部と、を有し、前記可動部材は、前記可動本体から前記第１方向と交差する第２方向に突出する突出片と、前記突出片から前記第１方向に突出し、前記壁材の端部を係止可能な係止片と、を有し、前記突出片には、前記第１方向の力を受けることが可能な第１工具係合部が設けられ、
前記係止片には、前記第１工具係合部よりも前記第１方向にずれた位置で、前記第１方向の力を受けることが可能な第２工具係合部が設けられている。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
コンプレッサインペラと、
前記コンプレッサインペラに回転軸を介して駆動力を伝達するよう構成されたモータと、
前記コンプレッサインペラの背面と隙間を介して対向するとともに前記回転軸を囲繞する背面側ケーシングと、
前記回転軸を回転可能に支持するように前記背面側ケーシングと前記回転軸との間に設けられた軸受と、
を備え、
前記背面側ケーシングは、前記コンプレッサインペラの前記背面に向かって突出する少なくとも一つの突起部を含む、
前記すくなくとも一つの突起部は、前記隙間の流路抵抗を増大し、前記隙間を前記コンプレッサインペラの径方向における内側へ流れる漏れ流れの進行を抑制する、電動過給機。
【請求項２】
前記コンプレッサインペラの前記背面は凹部を含み、
前記突起部の先端は、前記凹部の内側に位置する、請求項１に記載の電動過給機。
【請求項３】
前記突起部は、前記コンプレッサインペラの周方向に沿って環状に構成された、請求項１又は２に記載の電動過給機。
【請求項４】
前記少なくとも一つの突起部は、前記コンプレッサインペラの周方向に間隔をあけて設けられた複数の突起部を含む、請求項１又は２に記載の電動過給機。
【請求項５】
前記突起部は、前記コンプレッサインペラの周方向と交差する方向に沿って延在するようにリブ状に構成された、請求項４に記載の電動過給機。
【請求項６】
リブ状の前記突起部は、当該突起部の外周端が当該突起部の内周端より前記コンプレッサインペラの回転方向における下流側に位置するように、前記コンプレッサインペラの径方向に対して傾斜した方向に延設された、請求項５に記載の電動過給機。
【請求項７】
リブ状の前記突起部は、前記コンプレッサインペラの軸方向視において当該突起部の両端を結ぶ直線よりも当該突起部の中央部が前記コンプレッサインペラの回転方向における上流側に位置するように、湾曲している、請求項５又は６に記載の電動過給機。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
複数部の紙葉類を１部ずつ供給する供給機構と、
供給機構により供給された紙葉類を開いて中入れ位置へ送る開き機構と、
数種類のちらしを投入する複数の給紙トレイ、および前記中入れ位置に対向した排出口を備えた筐体を有し、前記複数の給紙トレイから給紙されて重ねられた丁合束を前記排出口を介して前記筐体外の前記中入れ位置に向けて排出することによって、前記開き機構によって開かれて前記中入れ位置へ送られた紙葉類に当該丁合束を挿入する丁合機構と、
を有する丁合・中入れ装置。
【請求項２】
前記紙葉類に前記丁合束を挿入した組紙を搬送する搬送機構と、
前記搬送機構により搬送された前記組紙を揃えて集積する組紙揃え機構と、をさらに有する、
請求項１の丁合・中入れ装置。
【請求項３】
前記丁合束を作成する丁合モード、予め用意した前記丁合束を前記紙葉類に中入れする中入れモード、或いは、前記丁合束を作成するとともにこの丁合束を紙葉類に中入れする丁合・中入れモードで丁合・中入れ装置を動作させる制御部をさらに有する、
請求項１の丁合・中入れ装置。
【手続補正２】
【補正対象書類名】明細書
【補正対象項目名】０００１
【補正方法】変更
【補正の内容】
【０００１】
本発明は、例えば、折込ちらしを丁合し、丁合束を新聞などの紙葉類に中入れする、丁合・中入れ装置に関する。
【手続補正３】
【補正対象書類名】明細書
【補正対象項目名】０００７
【補正方法】変更
【補正の内容】
【０００７】
本発明は、上記の点に鑑みてなされたもので、折込ちらしを丁合するとともにその丁合束を紙葉類に中入れすることができる丁合・中入れ装置を提供することを目的とする。
【手続補正４】
【補正対象書類名】明細書
【補正対象項目名】０００８
【補正方法】変更
【補正の内容】
【０００８】
本発明の丁合・中入れ装置の一態様は、複数部の紙葉類を１部ずつ供給する供給機構と、供給機構により供給された紙葉類を開いて中入れ位置へ送る開き機構と、数種類のちらしを投入する複数の給紙トレイ、および中入れ位置に対向した排出口を備えた筐体を有し、複数の給紙トレイから給紙されて重ねられた丁合束を排出口を介して筐体外の中入れ位置に向けて排出することによって、開き機構によって開かれて中入れ位置へ送られた紙葉類に当該丁合束を挿入する丁合機構と、を有する。
【手続補正５】
【補正対象書類名】明細書
【補正対象項目名】０００９
【補正方法】変更
【補正の内容】
【０００９】
本発明によれば、折込ちらしを丁合するとともにその丁合束を紙葉類に中入れすることができる丁合・中入れ装置を提供できる。
【手続補正６】
【補正対象書類名】明細書
【補正対象項目名】００６１
【補正方法】変更
【補正の内容】
【００６１】
本実施形態によると、オペレータによる作業負担を軽減でき、処理効率を高めることができる。さらに、本実施形態によると、オペレータによる作業にかかる人件費を抑えることができる。  
なお、本発明は、上述した実施形態に限定されるものではなく、発明の範囲を超えることなく任意に変更可能である。上述した実施形態では、新聞Ｐの間に丁合束Ｔを中入れする場合について説明したが、例えば、雑誌や本の間や通帳などの冊子の間にカードや紙片を挿入する装置に本発明を適用してもよい。本願明細書及び特許請求の範囲において、新聞、雑誌、本、及び通帳などの冊子を総称して紙葉類とする場合もある。
以下、本願の出願当初の特許請求の範囲に記載された発明を付記する。
［１］
複数部重ねて投入された新聞を１部ずつ供給する新聞供給機構と、
前記新聞供給機構により供給された新聞を開いて中入れ位置へ送る新聞開き機構と、
数種類のちらしを丁合して、その丁合束を前記中入れ位置に向けて排出し、前記新聞開き機構によって開かれた新聞に当該丁合束を挿入する丁合機構と、
を有する丁合・中入れ装置。
［２］
前記新聞開き機構により開いた新聞を前記中入れ位置で一旦停止させる停止手段をさらに有する、
［１］の丁合・中入れ装置。
［３］
前記新聞開き機構が、前記中入れ位置へ送られる新聞の下側部分と上側部分を分離させて前記上側部分を乗せる分離部材を有し、
前記分離部材は、前記丁合機構の前記丁合束の排出口の上方に取り付けられている、
［１］の丁合・中入れ装置。
［４］
前記新聞に前記丁合束を挿入した組紙を搬送する搬送機構と、
前記搬送機構により搬送された前記組紙を揃えて集積する組紙揃え機構と、をさらに有する、
［１］の丁合・中入れ装置。
【手続補正書】
【提出日】令和1年11月22日(2019.11.22)
【手続補正１】
【補正対象書類名】特許請求の範囲
【補正対象項目名】請求項２
【補正方法】変更
【補正の内容】
【請求項２】
走査型電子顕微鏡画像から測定された短径と長径との比（短径／長径）が０．８〜１．０である略球状粒子が個数割合で８５％以上であり、かつ、塩素濃度が１０００ｐｐｍ未満である、
ことを特徴とするポーラス生石灰。 
【手続補正２】
【補正対象書類名】明細書
【補正対象項目名】０００９
【補正方法】変更
【補正の内容】
【０００９】
本発明のポーラス生石灰およびその製造方法は以下の特徴を有する。
（項目１）
塩素濃度が１０００ｐｐｍ未満で、かつ、略球状粒子から成る、
ことを特徴とするポーラス生石灰。
（項目２）
走査型電子顕微鏡画像から測定された短径と長径との比（短径／長径）が０．８〜１．０である略球状粒子が個数割合で８５％以上であり、かつ、塩素濃度が１０００ｐｐｍ未満である、
ことを特徴とするポーラス生石灰。
（項目３）
圧縮強度が０．８５Ｎ／ｍｍ２未満である、
項目１または２に記載のポーラス生石灰。
（項目４）
項目１から３のいずれか１項に記載のポーラス生石灰の製造方法であって、
石灰石の質量に対して塩素成分が０．０６〜０．９０質量％となるよう有機塩素化合物を添加して焼成する、
ことを特徴とするポーラス生石灰の製造方法。
【手続補正書】
【提出日】令和2年1月22日(2020.1.22)
【手続補正１】
【補正対象書類名】明細書
【補正対象項目名】発明の名称
【補正方法】変更
【補正の内容】
【発明の名称】データのリフレッシュの方法、半導体ウェハ、電子機器
【手続補正書】
【提出日】令和1年10月18日(2019.10.18)
【手続補正１】
【補正対象書類名】明細書
【補正対象項目名】００４９
【補正方法】変更
【補正の内容】
【００４９】
ところで、本願発明者らは、ｐ型コンタクト層を兼ねるｐ型ＡｌＧａＮ層６を備えた紫外線発光素子１０を開発する際に、紫外線発光素子１０と基本構造が略同じ参考例１〜７の紫外線発光素子を作製した。そして、本願発明者らは、参考例１〜７の紫外線発光素子それぞれについて、２０ｍＡの直流電流を流したときの光出力〔Ｗ〕の測定を行った。参考例１〜７の紫外線発光素子は、実施形態の紫外線発光素子１０における多層構造を有するｐ型ＡｌＧａＮ層６の代わりに、単層構造のｐ型ＡｌＧａＮ層を採用している点のみで実施形態の紫外線発光素子１０と相違する。単層構造のｐ型ＡｌＧａＮ層の厚さは、６０ｎｍである。参考例１〜７の紫外線発光素子は、ｐ型ＡｌＧａＮ層のＭｇの濃度が互いに異なる。より詳細には、参考例１、２、３、４、５、６及び７の紫外線発光素子におけるｐ型ＡｌＧａＮ層のＭｇの濃度は、それぞれ、５×１０19ｃｍ-3、８×１０19ｃｍ-3、１×１０20ｃｍ-3、１．５×１０20ｃｍ-3、２×１０20ｃｍ-3、３×１０20ｃｍ-3及び５×１０20ｃｍ-3である。光出力は、積分球及び分光器を利用して測定した値である。図２は、ｐ型ＡｌＧａＮ層のＭｇの濃度と光出力比との関係を示すグラフである。「光出力比」は、Ｍｇの濃度を１０×１０19ｃｍ-3（つまり、１×１０20ｃｍ-3）とした参考例３の紫外線発光素子の光出力を基準値とした相対的な値である。図２から、本願発明者らは、ｐ型コンタクト層を単層構造のｐ型ＡｌＧａＮ層により構成した紫外線発光素子では、ｐ型ＡｌＧａＮ層のＭｇの濃度を８×１０19ｃｍ-3以上２×１０20ｃｍ-3以下とすることにより、Ｍｇの濃度を５×１０19ｃｍ-3とした場合に比べて光出力の向上を図れるという知見を得た。また、図２から、本願発明者らは、ｐ型コンタクト層を単層構造のｐ型ＡｌＧａＮ層により構成した紫外線発光素子では、ｐ型ＡｌＧａＮ層のＭｇの濃度を８×１０19ｃｍ-3以上２×１０20ｃｍ-3以下とすることにより、Ｍｇの濃度を１×１０20ｃｍ-3とした場合からの光出力の低下を抑制することが可能になるになるという知見を得た。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
天井を有する処理室と、
前記処理室内に設けられ、前記天井から落下した液滴を受ける樋と、
を備え、
前記天井は、山部と谷部を有する形状に形成されており、
前記天井の谷部は、一方向に延びており、
前記樋は、前記谷部の延伸方向に沿って延びるように設けられていることを特徴とする基板処理装置。
【請求項２】
前記樋は、複数の樋により構成されており、
前記複数の樋は、瓦状に積み重ねられて傾斜し、傾斜方向に隣接する二つの樋のうち、高い位置の樋における低い側の端部が低い位置の樋における高い側の端部を非接触で覆うように設けられていることを特徴とする請求項１に記載の基板処理装置。
【請求項３】
前記処理室内に、基板を搬送する基板搬送部を有し、
前記樋は、長手方向を前記基板の搬送方向に沿って、かつ搬送方向下流側に向かって徐々に低くなるように傾斜して設けられることを特徴とする請求項１または２に記載の基板処理装置。
【請求項４】
前記樋の両面には、濡れ性を向上させる膜が形成されていることを特徴とする請求項１乃至３のいずれかに記載の基板処理装置。
【請求項５】
前記複数の樋は、同じ傾斜角度で傾斜して互いに平行に配置されることを特徴とする請求項２に記載の基板処理装置。
【請求項６】
前記高い位置の樋における低い側の端部と前記低い位置の樋における高い側の端部との鉛直離間距離は、前記傾斜方向に沿って徐々に短くなっていることを特徴とする請求項２に記載の基板処理装置。
【請求項７】
前記低い位置の樋における高い側の端部は、高い位置の樋における低い側の端部に平行な第１の部分と、前記高い位置の樋から離れる方向に延びる第２の部分とからなることを特徴とする請求項２に記載の基板処理装置。
【請求項８】
前記樋の延伸方向と交わる方向に延伸して設けられる回収樋をさらに有し、
前記回収樋は、前記樋からの前記処理液を受けられる位置に設けられることを特徴とする請求項１乃至７のいずれかに記載の基板処理装置。
【請求項９】
前記処理室には、前記処理室内の空気を排出する排気部が設けられていることを特徴とする請求項１乃至８のいずれかに記載の基板処理装置。
【請求項１０】
前記処理室内に、基板を搬送する基板搬送部を有し、
前記樋は、前記基板の搬送方向に沿って設けられ、
前記樋からの前記処理液を受ける位置には、前記樋の延伸方向と交わる方向に延伸する回収樋が設けられることを特徴とする請求項１に記載の基板処理装置。
【請求項１１】
前記処理室内に、基板を搬送する基板搬送部を有し、
前記天井は、前記基板の搬送方向に延びる複数の山部と、隣接する前記山部間にあって前記基板搬送部による前記基板の搬送路の上方に位置する谷部と、を有する形状に形成されていることを特徴とする請求項１に記載の基板処理装置。
【手続補正書】
【提出日】令和2年1月21日(2020.1.21)
【手続補正１】
【補正対象書類名】明細書
【補正対象項目名】発明の名称
【補正方法】変更
【補正の内容】
【発明の名称】半導体装置、マイクロコントローラシステム、電子機器
【手続補正２】
【補正対象書類名】特許請求の範囲
【補正対象項目名】全文
【補正方法】変更
【補正の内容】
【特許請求の範囲】
【請求項１】
ＣＰＵと、
第１メモリセルと、
第２メモリセルと、を有し、
前記第１メモリセルは第１トランジスタ及び第１容量素子を有し、
前記第２メモリセルは第２トランジスタ及び第２容量素子を有し、
前記第１メモリセルはデータメモリとしての機能を有し、
前記第２メモリセルはプログラムメモリとしての機能を有し、
前記第１トランジスタはチャネル形成領域に酸化物半導体を有し、
前記第２トランジスタはチャネル形成領域に酸化物半導体を有し、
前記第２容量素子は前記第１容量素子よりも容量が大きいことを特徴とする半導体装置。
【請求項２】
請求項１において、
前記第１容量素子はトレンチを有し、
前記第２容量素子はトレンチを有し、
前記第２容量素子の容量は、前記第１容量素子の容量のｉ倍（ｉは２以上の整数）であることを特徴とする半導体装置。
【請求項３】
請求項１または請求項２において、
前記第１容量素子の容量は５ｆＦ以下であることを特徴とする半導体装置。
【請求項４】
請求項１乃至請求項３のいずれか一項に記載の半導体装置から成るマイクロコントローラシステム。
【請求項５】
請求項１乃至請求項３のいずれか一項に記載の半導体装置と、
バッテリと、を有する電子機器。